(57)【特許請求の範囲】
【請求項１】
板状部材差込み部が設けられて配線基板上に配されるハウジングと、
該ハウジングに配列配置されて設けられ、上記配線基板に設けられた配線端子に連結される状態をとり、配線板状部材が上記板状部材差込み部を通じて上記ハウジングに差し込まれたとき、該配線板状部材における複数の接触端子部に接触接続される複数のコンタクトと、
上記ハウジングに設けられ、配線板状部材が上記ハウジングに上記板状部材差込み部を通じて差し込まれたとき、該配線板状部材に対する係止を行う係止状態と上記係止を解除する係止解除状態とを選択的にとる係合部材と、
を備えて成り、
上記係合部材が、上記ハウジングにおける上記複数のコンタクトの配列方向の中央部分に配されて、上記ハウジングに固定される基部と該基部から伸びる第１の可動アーム部と上記基部から伸びて上記第１の可動アーム部に対向する第２の可動アーム部とを有し、
上記第１の可動アーム部に、上記板状部材差込み部を通じて上記ハウジングに差し込まれた配線板状部材における係合部に係合して上記配線板状部材を係止する係止部が形成されるとともに、上記第２の可動アーム部に、上記ハウジングの外部に臨む操作部と、該操作部に対する操作に応じて上記第１の可動アーム部に当接しつつ変位し、上記係止部に上記配線板状部材に対する係止を解除させる係止解除部とが形成されていることを特徴とするコネクタ装置。
【請求項２】
上記係合部材が、金属材料によって構成され、上記基部から上記ハウジング外へと伸びて上記配線基板に設けられた導体部分に半田付けされる半田付け部を有していることを特徴とする請求項１記載のコネクタ装置。
【請求項３】
上記第１及び第２の可動アーム部の夫々が、弾性を具え、上記ハウジングに対して弾性変位可能とされていることを特徴とする請求項１記載のコネクタ装置。
【請求項４】
上記第１の可動アーム部が、上記複数のコンタクトの配列方向において上記係止部の幅寸法より小なる幅寸法を有した狭幅部が形成され、該狭幅部によって上記係止部が支持されたものとされていることを特徴とする請求項１記載のコネクタ装置。
【請求項５】
上記係止部における上記狭幅部側の端縁部が上記配線板状部材における係合部を成す切抜き孔に係合する状態をとるとともに、上記係止解除部が、上記操作部に対する操作に応じて変位したとき、上記配線板状部材における上記切抜き孔を上記配線板状部材外に連通させる切抜き路内に配されることを特徴とする請求項４記載のコネクタ装置。
【請求項６】
上記係止部が、上記ハウジングへの上記板状部材差込み部を通じた配線板状部材の差込み方向に沿って上昇傾斜する傾斜面を有していて、上記ハウジングに上記板状部材差込み部を通じて差し込まれる配線板状部材の先端部分が上記傾斜面に当接することを特徴とする請求項１記載のコネクタ装置。
【請求項７】
上記ハウジングが有する一対の対向端面部の一方における上記複数のコンタクトの配列方向の中央部分に第１の透孔が形成されて、上記第１の可動アーム部が上記第１の透孔に対応する位置に配され、上記ハウジングが有する一対の対向端面部の他方における上記複数のコンタクトの配列方向の中央部分に第２の透孔が形成されて、上記第２の可動アーム部に形成された上記操作部及び上記係止解除部が上記第２の透孔に対応する位置に配されていることを特徴とする請求項１記載のコネクタ装置。
【請求項８】
上記第２の可動アーム部に形成された上記操作部が、上記ハウジングが有する一対の対向端面部の一方から他方に向かう方向に押圧操作され、上記第２の可動アーム部に形成された上記係止解除部及び上記第１の可動アーム部に形成された上記係止部が上記第２の透孔から上記第１の透孔に向かう方向に沿って変位せしめられることを特徴とする請求項７記載のコネクタ装置。
【請求項９】
上記ハウジングにおける上記第２の透孔の周囲となる外面部に凹部が形成されて、上記第２の可動アーム部に形成された上記操作部が、操作されていないとき上記凹部内に位置することを特徴とする請求項７記載のコネクタ装置。
【発明の詳細な説明】
【技術分野】
【０００１】
本願の特許請求の範囲に記載された発明は、フレキシブル印刷配線基板（ＦＰＣ）やフレキシブル平板状ケーブル（ＦＦＣ）等の配線板状部材が装着されるもとで、装着された配線板状部材に設けられた接触端子部に接触接続されるコンタクトと装着された配線板状部材に対する係止及び係止解除を行う係止部及び係止解除部とを備えたコネクタ装置に関する。
【背景技術】
【０００２】
各種の電子機器に実装される比較的小型なフレキシブル印刷配線基板やフレキシブル平板状ケーブル等の配線板状部材は、種々の電気部品が取り付けられる主配線基板への取付けが、当該主配線基板に電気的接続がなされて固定されるコネクタ装置が用いられて行われることが多いものとされる。このような配線板状部材の主配線基板への取付けにあたって用いられるコネクタ装置は、配線板状部材に設けられた接触端子部に接触接続される導電性のコンタクトを有していて、そのコンタクトを介して、配線板状部材に設けられた接触端子部を主配線基板に設けられた配線端子に電気的に接続する。
【０００３】
従来提案されている、例えば、フレキシブル印刷配線基板とされる配線板状部材の主配線基板への取付けに用いられるコネクタ装置は、配線板状部材が差し込まれる差込み部を形成するものとされて主配線基板に配される、例えば、絶縁材料によって形成されたハウジングを有している。そして、そのハウジング内に配列配置されて設けられて主配線基板に設けられた配線端子に連結され、配線板状部材が差込み部を通じてハウジングに差し込まれたとき、その配線板状部材に設けられた複数の接触端子部に夫々対応するものとなる複数のコンタクトを備えている。
【０００４】
斯かる従来のコネクタ装置にあっては、配線板状部材が差込み部を通じてハウジングに差し込まれたとき、自動的に、ハウジング内に設けられた複数のコンタクトが差し込まれた配線板状部材に設けられた複数の接触端子部に夫々接触接続され、配線板状部材が差込み部を通じてハウジングに適正に差し込まれるだけで、配線板状部材が主配線基板との電気的接続状態におかれる。
【０００５】
このような従来提案されているコネクタ装置にあっては、例えば、フレキシブル印刷配線基板とされる配線板状部材が、主配線基板に配されたハウジングに差込み部を通じて差し込まれて、ハウジングに配された複数のコンタクトが、ハウジングに差し込まれた配線板状部材における複数の接触端子部に夫々接触接続され、それにより、配線板状部材が主配線基板との電気的接続状態におかれるにあたり、配線板状部材がハウジングから不所望に離脱するような事態が回避されなくてはならない。当然のことながら、ハウジングに配された複数のコンタクトがハウジングに差し込まれた配線板状部材における複数の接触端子部に夫々接触接続された状態が適正に維持されるためには、ハウジングに差込み部を通じて差し込まれた配線板状部材が、その状態を安定に維持することができ、ハウジングから不所望に抜脱されるような事態をまねかないものとされることが必要とされるのである。
【０００６】
そのため、上述のような、主配線基板に配されるハウジングを有し、ハウジングに配された複数のコンタクトを備えたコネクタ装置に属するものであって、ハウジングに差込み部を通じて差し込まれた配線板状部材に係合して、当該配線板状部材のハウジングからの不所望な抜脱の阻止に関与する係止手段を備えたコネクタ装置が従来提案されている（例えば、特許文献１参照。）。
【０００７】
特許文献１に示されるコネクタ装置（コネクタ(1))にあっては、ハウジング(11)における複数のコンタクト（第１端子(51)及び第２端子(61)) の配列方向の両側部(16)に、一対の取付用補強金具 (ネイル(81)）が夫々取り付けられている。そして、各取付用補強金具には、ハウジング(11)に差込み部（挿入口(33)) を通じて差し込まれた配線板状部材（平板状ケーブル(101))に設けられた係合部 (耳部(113))に係合する掛止部(83c))を有したケーブル保持部(83)が、配線板状部材を係止する係止手段として備えられている。また、ハウジング(11)における複数のコンタクトの配列方向の両側部(16)には、一対の係止解除手段（掛止解除部(21)) が、各々が係止手段を成すケーブル保持部(83)を変位させるものとして備えられている。各係止解除手段を成す掛止解除部(21)は、ハウジング(11)からその外部へと突出する操作部(23)を備えており、操作部(23)が操作されることにより、ケーブル保持部(83)を変位させる状態におかれる。
【０００８】
このような特許文献１に示されるコネクタ装置において、配線板状部材が差込み部を通じてハウジング(11)に差し込まれると、ハウジング(11)における複数のコンタクトの配列方向の両側部(16)に備えられた一対の係止手段を成すケーブル保持部(83)の夫々が、その掛止部(83c) を配線板状部材に設けられた係合部に係合させて配線板状部材を係止する。それにより、ハウジング(11)に差し込まれた配線板状部材が、ケーブル保持部(83)が成す係止手段とによって係止され、ハウジング(11)からの不所望な抜脱が阻止される状態におかれる。
【０００９】
その後、ハウジング(11)における複数のコンタクトの配列方向の両側部(16)に備えられた一対の係止解除手段が、それらの夫々をなす掛止解除部(21)に設けられた操作部(23)に、例えば、押圧操作とされる操作が加えられて、それにより、係止手段を成すケーブル保持部(83)を変位させるものとされると、ケーブル保持部(83)の掛止部(83c))が配線板状部材に設けられた係合部に係合しなくなり、係止手段が配線板状部材を係止した状態が解除される。その結果、ハウジング(11)に差し込まれた配線板状部材がハウジング(11)から抜脱され得る状態におかれる。
【先行技術文献】
【特許文献】
【００１０】
【特許文献１】特開２０１０−３３９７８号公報（８〜１２頁，図８〜２１）
【発明の概要】
【発明が解決しようとする課題】
【００１１】
上述のような、ハウジングに差し込まれたフレキシブル印刷配線基板等の配線板状部材のハウジングからの不所望な離脱の阻止に関与する係止手段を備えた、配線板状部材の主配線基板への取付けに用いられるコネクタ装置として従来提案されているものにあっては、主配線基板に配されるハウジングにおける複数のコンタクトの配列方向の両側部に、一対の係止手段が夫々設けられ、それに加えて、一対の係止解除手段が夫々設けられる。しかも、各係止手段と各係止解除手段とは、個別の部材をもって構成されている。従って、コネクタ装置を構成する部品点数の増加とコネクタ装置の構成の複雑化とがまねかれており、それらがコネクタ装置の製造コストを嵩ませる要因となっている。
【００１２】
また、差込み部を通じてハウジングに差し込まれた配線板状部材に対する一対の係止部材による係止を解除するにあたっては、ハウジングにおける複数のコンタクトの配列方向の両側部に夫々設けられた一対の係止解除手段を同時に操作することが必要とされ、それにより、配線板状部材についての係止解除が操作性に劣るものとされている。
【００１３】
さらに、ハウジングにおける複数のコンタクトの配列方向の両側部に夫々設けられた一対の係止手段により係止された配線板状部材に、一対の係止手段に不均等な力を及ぼすことになる“こじり”引抜き力が加えられるときには、一対の係止手段のうちの一方の配線板状部材に対する係止保持力が弱められてしまい、配線板状部材のハウジングからの不所望な抜脱が生じてしまう虞がある。
【００１４】
斯かる点に鑑み、本願の特許請求の範囲に記載された発明は、フレキシブル印刷配線基板やフレキシブル平板状ケーブル等とされる配線板状部材の他の配線基板への取付けに用いられる、板状部材差込み部が設けられたハウジングとハウジングに配列配置されて設けられる複数のコンタクトとを備えたコネクタ装置であって、従来提案されているコネクタ装置が備えるような一対の係止手段及び一対の係止解除手段を設けることが不要とされ、それにより、構成の簡略化と部品点数の減少とによる製造コストの低減を図ることができるもとで、ハウジングに板状部材差込み部を通じて差し込まれた配線板状部材に対するハウジングからの不所望な抜脱を阻止するための係止及びその係止の解除を、確実かつ容易に行えることになるものを提供する。
【課題を解決するための手段】
【００１５】
本願の特許請求の範囲における請求項１から請求項９までのいずれかに記載された発明（以下、本発明という。）に係るコネクタ装置は、板状部材差込み部が設けられて配線基板上に配されるハウジングと、ハウジングに配列配置されて設けられ、配線基板に設けられた配線端子に連結される状態をとり、配線板状部材が板状部材差込み部を通じてハウジングに差し込まれたとき、その配線板状部材における複数の接触端子部に接触接続される複数のコンタクトと、ハウジングに設けられ、配線板状部材がハウジングに板状部材差込み部を通じて差し込まれたとき、その配線板状部材に対する係止を行う係止状態と係止を解除する係止解除状態とを選択的にとる係合部材とを備えて構成される。そして、係合部材が、ハウジングにおける複数のコンタクトの配列方向の中央部分に配されて、ハウジングに固定される基部と基部から伸びる第１の可動アーム部と基部から伸びて第１の可動アーム部に対向する第２の可動アーム部とを有していて、第１の可動アーム部に、板状部材差込み部を通じてハウジングに差し込まれた配線板状部材における係合部に係合して配線板状部材を係止する係止部が形成されるとともに、第２の可動アーム部に、ハウジングの外部に臨む操作部と、操作部に対する操作に応じて第１の可動アーム部に当接したもとで変位して係止部に配線板状部材に対する係止を解除させる係止解除部と、が形成されている。ハウジングにおける複数のコンタクトの配列方向の中央部分とは、ハウジングにおける複数のコンタクトの配列方向の両端部に挟まれた部分であって厳密な意味での中央及びその周辺を含む。
【００１６】
特に、本願の特許請求の範囲における請求項２に記載された本発明に係るコネクタ装置にあっては、係合部材が、金属材料によって構成され、その基部からハウジングの外部へと伸びて配線基板に設けられた導体部分に半田付けされる半田付け部を有している。
【００１７】
また、本願の特許請求の範囲における請求項３に記載された本発明に係るコネクタ装置にあっては、第１及び第２の可動アーム部の夫々が、弾性を具えていて、ハウジングに対する弾性変位が可能とされている。
【００１８】
上述のような本発明に係るコネクタ装置にあっては、配線板状部材が配線基板上に配されるハウジングにそれに設けられた板状部材差込み部を通じて差し込まれると、ハウジングに配列配置された複数のコンタクトが、差し込まれた配線板状部材における複数の接触端子部に接触接続されるとともに、ハウジングに設けられた係合部材が、ハウジング内において、差し込まれた配線板状部材を係止して配線板状部材に対する係止状態をとり、差し込まれた配線板状部材のハウジングからの不所望な抜脱を阻止する。そして、係合部材が配線板状部材に対する係止状態をとるもとで、係合部材に所定の操作が加えられると、配線板状部材を係止した係合部材が、ハウジング内において、配線板状部材に対する係止状態を解除して、差し込まれた配線板状部材のハウジングからの抜出しを可能とする。
【００１９】
斯かるもとで、係合部材が配線板状部材に対する係止状態をとる際には、係合部材における第１の可動アーム部に形成された係止部が、配線板状部材における係合部に係合して配線板状部材を係止する状態をとる。また、係合部材が配線板状部材に対する係止状態を解除する際には、係止部が配線板状部材を係止する状態をとるもとで、係合部材における第２の可動アーム部に形成された操作部に所定の操作が加えられ、それに伴って、第２の可動アーム部に形成された係止解除部が、第１の可動アーム部に当接したもとで変位して係止部に配線板状部材に対する係止を解除させる。
【００２０】
そして、係合部材は、例えば、本願の特許請求の範囲における請求項２に記載された本発明に係るコネクタ装置の場合のように、金属材料によって構成され、その基部からハウジングの外部へと伸びて配線基板に設けられた導体部分に半田付けされる半田付け部を有したものとされる。
【００２１】
また、係合部材における第１及び第２の可動アーム部の夫々は、例えば、本願の特許請求の範囲における請求項３に記載された本発明に係るコネクタ装置の場合のように、弾性を具えていて、ハウジングに対する弾性変位が可能なものとされる。
【発明の効果】
【００２２】
本発明に係るコネクタ装置においては、上述のように、ハウジングにそれに設けられた板状部材差込み部を通じて差し込まれた配線板状部材に対しての、ハウジングからの不所望な抜脱を阻止するための係止、及び、ハウジングからの抜脱を可能とするための係止の解除を行うにあたり、例えば、ハウジングにおける複数のコンタクトの配列方向の両側部に設けられる一対の係止手段及び一対の係止解除手段等が不要とされ、それに代えて、ハウジングにおける複数のコンタクトの配列方向の中央部分、即ち、厳密な意味での中央及びその周辺を含む部分に、ハウジングに差し込まれた配線板状部材に対する係止を行う係止状態と係止を解除する係止解除状態とを選択的にとる係合部材が配される。しかも、係合部材は、係止手段及び係止解除手段の両方の機能を果たす単一の部材とされる。従って、本発明に係るコネクタ装置によれば、構成の簡略化と部品点数の減少とによる製造コストの低減を図ることができるもとで、ハウジングに板状部材差込み部を通じて差し込まれた配線板状部材に対するハウジングからの不所望な抜脱を阻止するための係止及びその係止の解除を、確実かつ容易に行うことができる。
【００２３】
また、ハウジングに差し込まれた配線板状部材に対しての係止及び係止の解除を行う係合部材が、ハウジングに固定される基部と基部から伸びる第１の可動アーム部と基部から伸びて第１の可動アーム部に対向する第２の可動アーム部とを有していて、第１の可動アーム部に、板状部材差込み部を通じてハウジングに差し込まれた配線板状部材における係合部に係合して配線板状部材を係止する係止部が形成されるとともに、第２の可動アーム部に、ハウジングの外部に臨む操作部と、操作部に対する操作に応じて第１の可動アーム部に当接したもとで変位して係止部に配線板状部材に対する係止を解除させる係止解除部と、が形成されているので、本発明に係るコネクタ装置は、係止部と係止解除部とが一体に形成された、簡単で容易に得ることができる構成を有することになる。
【００２４】
そして、このような本発明に係るコネクタ装置にあっては、配線板状部材をハウジングにそれに設けられた板状部材差込み部を通じて差し込むだけで、配線板状部材に対しての係合部材における係止部による係止を行うことができ、それとともに、配線板状部材に対しての係止部による係止の解除を、ハウジングの外部に臨む係合部材における操作部に、例えば、押圧操作とされる操作を加えるだけで行うことができるので、配線板状部材に対しての係合部材による係止及び係止の解除を極めて簡単な操作によって行うことができるとともに、斯かる操作のために係合部材の周囲に格別なスペースを設けることが必要とされない。
【００２５】
特に、本願の特許請求の範囲における請求項２に記載された本発明に係るコネクタ装置にあっては、係合部材が、金属材料によって構成され、第１及び第２の可動アーム部に加えて、ハウジングに固定される基部からハウジングの外部へと伸びる半田付け部を有し、その半田付け部が、ハウジングが配される配線基板に設けられた導体部分に半田付けされる。それにより、配線基板に対するその上に配されたハウジングの堅固な固定に、配線基板に設けられた導体部分に半田付けされる半田付け部が貢献することになる。
【００２６】
さらに、本願の特許請求の範囲における請求項３に記載された本発明に係るコネクタ装置にあっては、係合部材における第１及び第２の可動アーム部の夫々が、弾性を具えていてハウジングに対する弾性変位が可能なものとされるので、第１の可動アーム部に形成された係止部によるハウジングに差し込まれた配線板状部材に対する係止が、より確実に行われ、また、第２の可動アーム部に形成された操作部及び係止解除部の、係止部による配線板状部材に対する係止を解除するための変位が、より確実に行われる。
【図面の簡単な説明】
【００２７】
【図１】本発明に係るコネクタ装置の一例を示す正面側から見た斜視図である。
【図２】本発明に係るコネクタ装置の一例を示す背面側から見た斜視図である。
【図３】本発明に係るコネクタ装置の一例を示す平面図である。
【図４】本発明に係るコネクタ装置の一例示す正面図である。
【図５】本発明に係るコネクタ装置の一例を示す底面図である。
【図６】図４におけるVI−VI線断面を示す断面図である。
【図７】図４における VII−VII 線断面を示す断面図である。
【図８】本発明に係るコネクタ装置の一例が備える係合部材を示す斜視図である。
【図９】本発明に係るコネクタ装置の一例が備える係合部材を示す平面図である。
【図１０】本発明に係るコネクタ装置の一例が備える係合部材を示す底面図である。
【図１１】図４におけるXI−XI線断面を示す断面図である。
【図１２】本発明に係るコネクタ装置の一例をそれに装着されるフレキシブル印刷配線基板と共に示す斜視図である。
【図１３】本発明に係るコネクタ装置の一例をそれに装着されたフレキシブル印刷配線基板と共に示す斜視図である。
【図１４】本発明に係るコネクタ装置の一例に対するフレキシブル印刷配線基板の差込みが開始された状態を示す断面図である。
【図１５】本発明に係るコネクタ装置の一例に対してフレキシブル印刷配線基板が差込み途中にある状態を示す断面図である。
【図１６】本発明に係るコネクタ装置の一例に対するフレキシブル印刷配線基板の差込みが完了した状態を示す断面図である。
【図１７】本発明に係るコネクタ装置の一例が備える係合部材が、コネクタ装置の一例に装着されたフレキシブル印刷配線基板に対する係止を解除した状態を示す断面図である。
【図１８】本発明に係るコネクタ装置の一例に対してフレキシブル印刷配線基板が抜出し途中にある状態を示す断面図である。
【図１９】本発明に係るコネクタ装置の一例からのフレキシブル印刷配線基板の抜出しが完了する直前の状態を示す断面図である。
【発明を実施するための形態】
【００２８】
本発明を実施するための形態は、以下に述べられる本発明についての実施例をもって説明される。
【実施例】
【００２９】
図１（正面側から見た斜視図），図２（背面側から見た斜視図），図３（平面図），図４（正面図）及び図５（底面図）は、本発明に係るコネクタ装置の一例を示す。
【００３０】
図１〜図５において、本発明に係るコネクタ装置の一例を成すコネクタ装置１０は、合成樹脂等の絶縁材料によって形成されたハウジング１１を備えている。ハウジング１１には、その正面側端面部に板状部材差込み部１２が設けられており、板状部材差込み部１２からハウジング１１の内部へと板状部材収容空間が伸びている。
【００３１】
ハウジング１１は、配線基板３９（図１２，図１３等に示されている。）に配され、それにより、コネクタ装置１０の全体が配線基板３９に固定されたものとされる。その際、ハウジング１１における正面側端面部とそれに対向する背面側端面部とに挟まれた一対の対向外面部のうちの一方が配線基板３９に対接する外面部とされて他方が解放された外面部とされる。以下においては、配線基板３９に対接するハウジング１１の一外面部を有した部分を底板部１１ａといい、それに対向するハウジング１１の他外面部を有した部分を天板部１１ｂという。そして、正面側端面部に設けられた板状部材差込み部１２を通じて、例えば、フレキシブル印刷配線基板が、配線板状部材を成すものとして、ハウジング１１に差し込まれる。
【００３２】
ハウジング１１には、その内部に、各々が弾性導電材料で形成された複数の第１のコンタクト１３と複数の第２のコンタクト１４とが、ハウジング１１の長手方向（正面に向かって左右方向）に沿って、交互に配列配置されて設けられている。複数の第１のコンタクト１３及び複数の第２のコンタクト１４は、配線板状部材を成すフレキシブル印刷配線基板に配列配置された複数の接触端子部に夫々接触接続される信号用コンタクトとして設けられているが、他のフレキシブル印刷配線基板における複数の信号接触端子部及び接地接続部に接触接続される信号用及び接地用コンタクトとして用いられても良い。
【００３３】
複数の第１のコンタクト１３の夫々は、弾性を有した導電性材料をもって形成され、図４におけるVI−VI線断面を示す図６に示されるように、ハウジング１１に固定された固定部１５と固定部１５から屈曲して伸びる可動片持ちビーム部１６とを有している。固定部１５には、ハウジング１１の正面側端面部側においてハウジング１１の外部に臨む接続端子部１５ａが形成されており、接続端子部１５ａは、ハウジング１１が配された配線基板３９に設けられた配線端子に、例えば、半田付けにより接続される。また、可動片持ちビーム部１６には、その先端部分に接点部１６ａが形成されており、接点部１６ａは、板状部材差込み部１２からハウジング１１の内部へと伸びている板状部材収容空間内に位置するものとされる。そして、複数の第１のコンタクト１３の夫々は、例えば、図１に示されるハウジング１１の正面側端面部側から、ハウジング１１の内部へと押圧挿入されて固定される。
【００３４】
また、複数の第２のコンタクト１４の夫々も、弾性を有した導電性材料をもって形成され、図４における VII−VII 線断面を示す図７に示されるように、ハウジング１１に固定された固定部１８と固定部１８から屈曲して伸びる可動片持ちビーム部１９とを有している。固定部１８には、ハウジング１１の背面側端面部側においてハウジング１１の外部に臨む接続端子部１８ａが形成されており、接続端子部１８ａは、ハウジング１１が配された配線基板３９に設けられた配線端子に、例えば、半田付けにより接続される。また、可動片持ちビーム部１９には、その先端部分に接点部１９ａが形成されており、接点部１９ａは、板状部材差込み部１２からハウジング１１の内部へと伸びている板状部材収容空間内に位置するものとされる。そして、複数の第２のコンタクト１４の夫々は、例えば、図２に示されるハウジング１１の背面側端面部側から、ハウジング１１の内部へと押圧挿入されて固定される。
【００３５】
上述のような複数の第１のコンタクト１３の夫々と複数の第２のコンタクト１４の夫々とは、第１のコンタクト１３における可動片持ちビーム部１６の先端部分に形成された接点部１６ａ及び第２のコンタクト１４における可動片持ちビーム部１９の先端部分に形成された接点部１９ａが、ハウジング１１内においてハウジング１１に対する配線板状部材を成すフレキシブル印刷配線基板の差込み方向の位置を異にするものとされている。即ち、図６及び図７に示されるように、第１のコンタクト１３における接点部１６ａが、第２のコンタクト１４における接点部１９ａより、板状部材差込み部１２が設けられたハウジング１１の正面側端面部に近接した位置に配されている。
【００３６】
そして、配線板状部材を成すフレキシブル印刷配線基板が板状部材差込み部１２を通じてハウジング１１に差し込まれたとき、第１のコンタクト１３における接点部１６ａが、ハウジング１１に差し込まれたフレキシブル印刷配線基板における対応する接触端子部に当接し、それにより、複数の第１のコンタクト１３がフレキシブル印刷配線基板における対応する複数の第１の接触端子部に夫々接触接続されるとともに、第２のコンタクト１４における接点部１９ａが、ハウジング１１に差し込まれたフレキシブル印刷配線基板における対応する接触端子部に当接し、それにより、複数の第２のコンタクト１４がフレキシブル印刷配線基板における対応する複数の第２の接触端子部に夫々接触接続される。その結果、ハウジング１１に差し込まれたフレキシブル印刷配線基板における複数の接触端子部が、複数の第１のコンタクト１３及び複数の第２のコンタクト１４を介して、ハウジング１１が配された配線基板３９に設けられた配線端子に連結される。
【００３７】
また、コネクタ装置１０は、ハウジング１１におけるその長手方向、即ち、複数の第１のコンタクト１３及び複数の第２のコンタクト１４の配列方向（以下、コンタクト配列方向という。）の中央部分に配された、例えば、金属材料によって一体形成された係合部材２０を備えている。係合部材２０は、配線板状部材を成すフレキシブル印刷配線基板が板状部材差込み部１２を通じてハウジング１１に差し込まれたとき、フレキシブル印刷配線基板に対する係止を行う係止状態とその係止を解除する係止解除状態とを選択的にとるためのものとして備えられている。ハウジング１１におけるコンタクト配列方向の中央部分とは、ハウジング１１におけるコンタクト配列方向の両端部に挟まれた部分であって厳密な意味での中央及びその周辺を含む。
【００３８】
図８（斜視図），図９（平面図）及び図１０（底面図）は、係合部材２０を単体にて示す。図８〜図１０に示される係合部材２０は、例えば、弾性金属板材に打抜き屈曲加工が施されて形成され、ハウジング１１に固定される基部２１と基部２１から伸びる弾性を具えた第１の可動アーム部２２と基部２１から伸びて第１の可動アーム部２２に対向する弾性を具えた第２の可動アーム部２３とを有している。
【００３９】
基部２１は、係合部材２０がハウジング１１に取り付けられたとき基部２１からハウジング１１外へと伸びることになる半田付け部２４を有している。この半田付け部２４は、係合部材２０がハウジング１１に取り付けられたもとで、ハウジング１１が配された配線基板３９に設けられた導体部分に半田付けされて配線基板３９に固定される。
【００４０】
第１の可動アーム部２２には、その先端部分にハウジング１１に差し込まれたフレキシブル印刷配線基板における係合部に係合してフレキシブル印刷配線基板を係止する状態をとる係止部２５が形成されている。また、第１の可動アーム部２２には、係合部材２０がハウジング１１に取り付けられたときコンタクト配列方向となる方向において係止部２５の幅寸法より小なる幅寸法を有した狭幅部２６が形成されていて、この狭幅部２６によって係止部２５が支持されている。それにより、係止部２５は、コンタクト配列方向となる方向において狭幅部２６を挟む一対の端縁部２５ａを、狭幅部２６側の端縁部として有するものとされている。
【００４１】
係止部２５は、係合部材２０がハウジング１１に取り付けられたときハウジング１１への板状部材差込み部１２を通じたフレキシブル印刷配線基板の差込み方向に沿って上昇傾斜することになる傾斜面２５ｂを有している。フレキシブル印刷配線基板が板状部材差込み部１２を通じてハウジング１１に差し込まれたとき、係止部２５が形成する傾斜面２５ｂは、それに当接するフレキシブル印刷配線基板の先端部を係止部２５を乗り越させるように案内する。
【００４２】
さらに、第１の可動アーム部２２には、基部２１側の部位にコ字状の透孔２７が形成されており、それにより、第１の可動アーム部２２と第２の可動アーム部２３との相互対向方向において、係止部２５を含めた第１の可動アーム部２２の全体の基部２１を支点部とした弾性変位が容易に行われるようにされている。
【００４３】
第２の可動アーム部２３には、基部２１に連結された一対の折返し屈曲部２８と、一対の折返し屈曲部２８により支持されて、係合部材２０がハウジング１１に取り付けられたときハウジング１１の外部に臨むことになる操作部２９と、操作部２９から屈曲して伸びる係止解除部３０とが形成されている。
【００４４】
第２の可動アーム部２３は、一対の折返し屈曲部２８の存在によって、第１の可動アーム部２２に対して所定の間隔を置いて対向する姿勢をとるものとされており、また、一対の折返し屈曲部２８の夫々を支点部として、操作部２９に、例えば、第１の可動アーム部２２に向かう方向の押圧操作が加えられたとき、第１の可動アーム部２２に近接すべく弾性変位し、操作部２９に押圧操作が加えられなくなったとき、第１の可動アーム部２２から離隔すべく弾性変位する揺動を行う。そして、操作部２９に、例えば、第１の可動アーム部２２に向かう方向の押圧操作が加えられて、第２の可動アーム部２３が第１の可動アーム部２２に近接すべく弾性変位したとき、操作部２９から屈曲して伸びる係止解除部３０が、操作部２９に対する操作に応じて、第１の可動アーム部２２に、例えば、第１の可動アーム部２２に形成された係止部２５の位置において当接しつつ変位する。それにより、係止部２５を変位させ、係止部２５がハウジング１１に差し込まれたフレキシブル印刷配線基板における係合部に係合してフレキシブル印刷配線基板を係止しているときには、係止部２５にフレキシブル印刷配線基板に対する係止を解除させる。
【００４５】
図５及び図４におけるXI−XI線断面を示す図１１に示されるように、ハウジング１１の底板部１１ａにおけるコンタクト配列方向の中央部分に透孔３５が形成されている。そして、係合部材２０がハウジング１１に取り付けられたもとでは、係合部材２０における第１の可動アーム部２２が、それに形成された係止部２５，狭幅部２６及び透孔２７を含めて、ハウジング１１の底板部１１ａに形成された透孔３５に対応する位置に配され、それにより、第１の可動アーム部２２は、基部２１を支点部とする弾性変位としての、透孔３５内を通じたハウジング１１が配された配線基板３９側への変位を行うことが可能とされている。
【００４６】
また、図１〜図３及び図１１に示されるように、ハウジング１１の天板部１１ｂにおけるコンタクト配列方向の中央部分に透孔３６が形成されており、さらに、該中央部分における透孔３６の周囲となる外面部に凹部３７が形成されている。そして、係合部材２０がハウジング１１に取り付けられたもとでは、上述の係合部材２０における第２の可動アーム部２３に形成された操作部２９及び操作部２９から屈曲して伸びる係止解除部３０が、ハウジング１１の天板部１１ｂに形成された透孔３６に対応する位置に配されている。それにより、第２の可動アーム部２３に形成された操作部２９及び操作部２９から屈曲して伸びる係止解除部３０は、一対の折返し屈曲部２８の夫々を支点部とする弾性変位としての、透孔３６内を通じた第１の可動アーム部２２側への変位を行うことが可能とされている。
【００４７】
係合部材２０における第２の可動アーム部２３に形成されてハウジング１１外に臨むものとされた操作部２９は、それに操作が加えられていないとき、透孔３６の周囲に形成された凹部３７内に位置するものとされ、それにより、ハウジング１１の天板部１１ｂにおける外面部から突出しないものとされる。
【００４８】
このように、係合部材２０がハウジング１１に取り付けられたもとにあっては、第１の可動アーム部２２がハウジング１１の底板部１１ａにおけるコンタクト配列方向の中央部分に形成された透孔３５に対応する位置に配されるとともに、第２の可動アーム部２３に形成された操作部２９及び係止解除部３０がハウジング１１の天板部１１ｂにおけるコンタクト配列方向の中央部分に形成された透孔３６に対応する位置に配されるものとされて、基部２１がハウジング１１の底板部１１ａに固定される。
【００４９】
そして、第２の可動アーム部２３に形成された操作部２９にハウジング１１の天板部１１ｂから底板部１１ａに向かう方向の押圧操作が加えられたときには、第２の可動アーム部２３に形成された係止解除部３０と第１の可動アーム部２２に形成された係止部２５とが、ハウジング１１の天板部１１ｂに形成された透孔３６からハウジング１１の底板部１１ａに形成された透孔３５に向かう方向に沿って変位せしめられる。
【００５０】
図１２は、係合部材２０が取り付けられたハウジング１１が配線基板３９に底板部１１ａを対接させて配されて配線基板３９に固定されたコネクタ装置１０と、コネクタ装置１０に装着される配線板状部材を成すフレキシブル印刷配線基板４０とを示す。
【００５１】
フレキシブル印刷配線基板４０は、各々が導電材料によって形成された複数の第１の接触端子部４１と複数の第２の接触端子部４２とが交互に配列配置されて配された平板状部４０ａを有している。斯かるフレキシブル印刷配線基板４０の平板状部４０ａにおける第１及び第２の接触端子部４１及び４２の配列方向（以下端子配列方向という。）の中央部分に、切抜き孔４３と切抜き孔４３をフレキシブル印刷配線基板４０外に連通させる切抜き路４４が形成されている。
【００５２】
複数の第１の接触端子部４１の夫々は、フレキシブル印刷配線基板４０がコネクタ装置１０のハウジング１１に差し込まれたとき、ハウジング１１に配された複数の第１のコンタクト１３のうちの対応するものの接点部１６ａが押圧接触する広幅先端部４１ａを有しており、また、複数の第２の接触端子部４２の夫々は、フレキシブル印刷配線基板４０がコネクタ装置１０のハウジング１１に差し込まれたとき、ハウジング１１に配された複数の第２のコンタクト１４のうちの対応するものの接点部１９ａが押圧接触する広幅先端部４２ａを有している。
【００５３】
そして、第１の接触端子部４１の広幅先端部４１ａと第２の接触端子部４２の広幅先端部４２ａとは、ハウジング１１に対するフレキシブル印刷配線基板４０の差込み方向の位置を異にするものとされている。即ち、第１の接触端子部４１の広幅先端部４１ａより第２の接触端子部４２の広幅先端部４２ａの方が、フレキシブル印刷配線基板４０の平板状部４０ａの端子配列方向に伸びる端縁部分に近接した位置に配されている。それにより、複数の第１及び第２の接触端子部４１及び４２の相互間隔を比較的小としたもとで、複数の広幅先端部４１ａ及び４２ａの夫々が端子配列方向の幅寸法を比較的大とすることができるものとされている。
【００５４】
平板状部４０ａに形成された切抜き孔４３及び切抜き路４４は、フレキシブル印刷配線基板４０における、コネクタ装置１０における係合部材２０が備える第１及び第２の可動アーム部２２及び２３が係合する係合部を成している。そして、切抜き孔４３におけるそれに連なる切抜き路４４の一端を挟む部分は、一対の係合端面部４５を形成しており、これらの一対の係合端面部４５は、フレキシブル印刷配線基板４０がコネクタ装置１０のハウジング１１に差し込まれてコネクタ装置１０が備える係合部材２０によって係止されるとき、係合部材２０における第１の可動アーム部２２に形成された係止部２５が有する一対の端縁部２５ａが夫々係合するものとされている。
【００５５】
フレキシブル印刷配線基板４０は、図１３に示されるように、コネクタ装置１０のハウジング１１が係合部材２０を伴って配線基板３９に配されたもとで、コネクタ装置１０のハウジング１１に、その正面側端面部に設けられた板状部材差込み部１２を通じて差し込まれたものとされる。
【００５６】
このようにフレキシブル印刷配線基板４０がコネクタ装置１０のハウジング１１に差し込まれるにあたっては、先ず、フレキシブル印刷配線基板４０が、図１２に示されるように、その平板状部４０ａにおける端子配列方向に伸びる端縁部分を、ハウジング１１の正面側端面部に設けられた板状部材差込み部１２に、端子配列方向がコンタクト配列方向に沿うものとなる状態をもって対向させる位置に配される。
【００５７】
次に、図１４に示されるように、フレキシブル印刷配線基板４０が、その第１及び第２の接触端子部４１及び４２が配列配置されるとともに切抜き孔４３及び切抜き路４４が形成された平板状部４０ａを前方側部分として、コネクタ装置１０のハウジング１１に設けられた板状部材差込み部１２を通じてハウジング１１内における板状部材収容空間に差し込まれる。斯かる際、コネクタ装置１０における係合部材２０が備える第１の可動アーム部２２に形成された係止部２５が、その傾斜面２５ｂを板状部材差込み部１２側に向けて板状部材収容空間内に位置するものとされている。また、このとき、コネクタ装置１０における係合部材２０が備える第２の可動アーム部２３に形成された係止解除部３０は、ハウジング１１内において、係止部２５に対向するものとされている。
【００５８】
続いて、フレキシブル印刷配線基板４０がさらにハウジング１１内における板状部材収容空間に差し込まれると、フレキシブル印刷配線基板４０の平板状部４０ａの端子配列方向に伸びる端縁部分における切抜き路４４を挟む部分が，係合部材２０が備える第１の可動アーム部２２に形成された係止部２５が有する傾斜面２５ｂに当接して、係止部２５を、ハウジング１１の底板部１１ａに形成された透孔３５を通じて配線基板３９側へと弾性変位させる。それにより、係止部２５は、図１５に示されるように、フレキシブル印刷配線基板４０の平板状部４０ａにおける切抜き路４４を挟む部分に配線基板３９側から当接する配線基板３９に近接した位置をとり、フレキシブル印刷配線基板４０のハウジング１１内における板状部材収容空間への更なる差込みを妨げないものとされる。また、係止部２５に対向する係止解除部３０も、フレキシブル印刷配線基板４０のハウジング１１内における板状部材収容空間への更なる差込みを妨げない位置をとる。
【００５９】
その後、フレキシブル印刷配線基板４０がハウジング１１内における板状部材収容空間内の正規の位置に到達して、ハウジング１１に対する差込みが完了すると、図１６に示されるように、係止部２５が、フレキシブル印刷配線基板４０の平板状部４０ａにおける切抜き路４４を挟む部分から外れて、その弾性により配線基板３９に近接した位置から元の位置に戻り、平板状部４０ａに形成された切抜き孔４３に係合する。このとき、係止部２５が有する、第１の可動アーム部２２における狭幅部２６を挟むものとされた一対の端縁部２５ａが、切抜き孔４３におけるそれに連なる切抜き路４４の一端を挟む一対の係合端面部４５に夫々係合して、フレキシブル印刷配線基板４０を係止する。それにより、係止部２５によってハウジング１１に差し込まれたフレキシブル印刷配線基板４０が係止される状態が得られる。
【００６０】
このようにして、係止部２５によってハウジング１１に差し込まれたフレキシブル印刷配線基板４０が係止される状態が得られると、フレキシブル印刷配線基板４０は、ハウジング１１内における正規の位置に達して、係止部２５が形成された第１の可動アーム部２２を備えた係合部材２０によって係止されたことになり、ハウジング１１からの不所望な抜脱が阻止される状態におかれる。即ち、フレキシブル印刷配線基板４０は、ハウジング１１に板状部材差込み部１２を通じて適正に差し込まれるだけで、係合部材２０により係止されてハウジング１１からの不所望な抜脱が阻止される状態におかれることになる。
【００６１】
斯かる際、係合部材２０の第２の可動アーム部２３に形成された操作部２９は、ハウジング１１の天板部１１ｂの外面部に形成された凹部３７内に配されて、ハウジング１１の天板部１１ｂの外部に突出することなく、ハウジング１１の外部に臨む位置をとるものとされる。
【００６２】
このようにして、フレキシブル印刷配線基板４０がハウジング１１への板状部材差込み部１２を通じての差込を完了して正規の差込み位置をとるもとにおいては、ハウジング１１に配列配置された複数の第１のコンタクト１３が、各々の可動片持ちビーム部１６の先端部分に形成された接点部１６ａをハウジング１１に差し込まれたフレキシブル印刷配線基板４０の平板状部４０ａに配された複数の第１の接触端子部４１に夫々弾性当接させて、複数の第１の接触端子部４１に夫々接触接続された状態におかれ、また、ハウジング１１に配列配置された複数の第２のコンタクト１４が、各々の可動片持ちビーム部１９の先端部分に形成された接点部１９ａをハウジング１１に差し込まれたフレキシブル印刷配線基板４０の平板状部４０ａに配された複数の第２の接触端子部４２に夫々弾性当接させて、複数の第２の接触端子部４２に夫々接触接続された状態におかれる。それにより、ハウジング１１に差し込まれたフレキシブル印刷配線基板４０における複数の第１及び第２の接触端子部４１及び４２が、複数の第１及び第２のコンタクト１３及び１４を介して、ハウジング１１が配された配線基板３９に設けられた配線端子に連結される。斯かる状態は、フレキシブル印刷配線基板４０がハウジング１１に板状部材差込み部１２を通じて適正に差し込まれるだけで得られる。
【００６３】
その後、図１７に示されるように、係合部材２０の第２の可動アーム部２３に形成された操作部２９にハウジング１１の天板部１１ｂから底板部１１ａに向かう方向の押圧操作が加えられたとき、第２の可動アーム部２３が、一対の折返し屈曲部２８の夫々を支点部として、ハウジング１１の底板部１１ａに近接する方向に変位する。それに伴って、第２の可動アーム部２３に形成された係止解除部３０が、係合部材２０の第１の可動アーム部２２に、例えば、それに形成された係止部２５の位置において当接しつつ、ハウジング１１の天板部１１ｂに形成された透孔３６からハウジング１１の底板部１１ａに形成された透孔３５に向かう方向に沿って変位する。それにより、係止部２５が形成された第１の可動アーム部２２が、係合部材２０の基部２１を支点部とし、ハウジング１１の底板部１１ａに形成された透孔３５を通じて配線基板３９に近接する方向に変位する。
【００６４】
斯かる第１の可動アーム部２２の配線基板３９に近接する方向の変位に伴って、係止部２５もハウジング１１の底板部１１ａに形成された透孔３５を通じて配線基板３９に近接する方向に変位する。それにより、係止部２５が有する一対の端縁部２５ａの夫々が、フレキシブル印刷配線基板４０の平板状部４０ａに形成された切抜き孔４３における係合端面部４５との係合を解除し、係止部２５によってハウジング１１に差し込まれたフレキシブル印刷配線基板４０が係止された状態が解除される。即ち、係止部２５が形成された第１の可動アーム部２２を備えた係合部材２０による、ハウジング１１に差し込まれたフレキシブル印刷配線基板４０に対する係止状態が解除されることになり、フレキシブル印刷配線基板４０のハウジング１１からの抜出しが可能とされる。
【００６５】
斯かる際、係止部２５は、ハウジング１１内における板状部材収容空間から外れてハウジング１１の底板部１１ａに形成された透孔３５内に位置しており、また、係止解除部３０は、ハウジング１１内における板状部材収容空間内において、フレキシブル印刷配線基板４０の平板状部４０ａに形成された切抜き孔４３及びそれに連なった切欠き路４４内に位置している。このように、係止解除部３０が切欠き路４４内に位置することができるようにすべく、係止解除部３０のコンタクト配列方向（端子配列方向）の幅寸法は、切欠き路４４の端子配列方向の幅寸法より小となるように選定されている。
【００６６】
その後、図１８に示されるように、フレキシブル印刷配線基板４０がハウジング１１に対する差込み方向とは逆の方向に移動せしめられて、フレキシブル印刷配線基板４０のハウジング１１からの板状部材差込み部１２を通じた抜出しが行われる。斯かる際、係合部材２０の第２の可動アーム部２３に形成された係止解除部３０は、ハウジング１１内における板状部材収容空間内において、フレキシブル印刷配線基板４０の平板状部４０ａに形成された切抜き孔４３及びそれに連なった切欠き路４４内に位置しているので、フレキシブル印刷配線基板４０のハウジング１１からの抜出しの妨げとはならない。
【００６７】
フレキシブル印刷配線基板４０がハウジング１１から板状部材差込み部１２を通じて抜き出された状態、もしくは、抜き出される過程の状態におかれ、係合部材２０の第２の可動アーム部２３に形成された操作部２９にハウジング１１の天板部１１ｂから底板部１１ａに向かう方向の押圧操作が加えられなくなると、図１９に示されるように、係合部材２０の第１の可動アーム部２２及び第２の可動アーム部２３が、各々が具える弾性によって、元の位置、即ち、操作部２９に押圧操作が加えられる前の位置に復帰する。それに伴って、第１の可動アーム部２２に形成された係止部２５及び第２の可動アーム部２３に形成された係止解除部３０も、元の位置に復帰する。
【００６８】
上述のようなコネクタ装置１０にあっては、ハウジング１１に板状部材差込み部１２を通じて差し込まれた配線板状部材を成すフレキシブル印刷配線基板４０に対しての、ハウジング１１からの不所望な抜脱を阻止するための係止、及び、ハウジング１１からの抜出しを可能とするための係止の解除を行うにあたり、例えば、ハウジング１１におけるコンタクト配列方向の両側部に設けられる一対の係止手段及び一対の係止解除手段等が不要とされ、それに代えて、ハウジング１１におけるコンタクト配列方向の中央部分に、ハウジング１１に差し込まれたフレキシブル印刷配線基板４０に対する係止を行う係止状態と係止を解除する係止解除状態とを選択的にとる係合部材２０が配される。しかも、係合部材２０は、係止手段及び係止解除手段の両方の機能を果たす単一の部材とされる。従って、コネクタ装置１０によれば、構成の簡略化と部品点数の減少とによる製造コストの低減を図ることができるもとで、ハウジング１１に板状部材差込み部１２を通じて差し込まれたフレキシブル印刷配線基板４０に対するハウジング１１からの不所望な抜脱を阻止するための係止及びその係止の解除を、確実かつ容易に行うことができる。
【００６９】
また、コネクタ装置１０は、ハウジング１１に差し込まれたフレキシブル印刷配線基板４０に対しての係止及び係止の解除を行う係合部材２０が、ハウジング１１に固定される基部２１と基部２１から伸びる第１の可動アーム部２２と基部２１から伸びて第１の可動アーム部２２に対向する第２の可動アーム部２３とを有していて、第１の可動アーム部２２に、板状部材差込み部１２を通じてハウジング１１に差し込まれたフレキシブル印刷配線基板４０における係合部（切抜き孔４３及び切抜き路４４）に係合してフレキシブル印刷配線基板４０を係止する係止部２５が形成されているとともに、第２の可動アーム部２３に、ハウジング１１の外部に臨む操作部２９と、操作部２９に対する操作に応じて第１の可動アーム部２２に当接したもとで変位して係止部２５にフレキシブル印刷配線基板４０に対する係止を解除させる係止解除部３０と、が形成されているので、係止部２５と係止解除操作部３０とが一体に形成された、簡単で容易に得ることができる構成を有することになる。
【００７０】
そして、このようなコネクタ装置１０にあっては、フレキシブル印刷配線基板４０をハウジング１１にそれに設けられた板状部材差込み部１２を通じて差し込むだけで、フレキシブル印刷配線基板４０に対しての係合部材２０における係止部２５による係止を行うことができ、それとともに、フレキシブル印刷配線基板４０に対しての係止部２５による係止の解除を、ハウジング１１の外部に臨む係合部材２０における操作部２９に、例えば、押圧操作とされる操作を加えるだけで行うことができるので、フレキシブル印刷配線基板４０に対しての係合部材２０による係止及び係止の解除を極めて簡単な操作によって行うことができるとともに、斯かる操作のために係合部材２０の周囲に格別なスペースを設けることが必要とされない。
【００７１】
また、コネクタ装置２０にあっては、係合部材２０が、金属材料によって構成され、第１及び第２の可動アーム部２２及び２３に加えて、ハウジング１１に固定される基部２１からハウジング１１の外部へと伸びる半田付け部２４を有し、その半田付け部２４が、ハウジング１１が配される配線基板３９に設けられた導体部分に半田付けされる。それにより、配線基板３９に対するその上に配されたハウジング１１の堅固な固定に、配線基板３９に設けられた導体部分に半田付けされる半田付け部２４が貢献することになる。
【００７２】
さらに、コネクタ装置１０にあっては、係合部材２０における第１及び第２の可動アーム部２２及び２３の夫々が、弾性を具えていてハウジング１１に対する弾性変位が可能なものとされるので、第１の可動アーム部２２に形成された係止部２５によるハウジング１１に差し込まれたフレキシブル印刷配線基板４０に対する係止が、より確実に行われ、また、第２の可動アーム部２３に形成された操作部２９及び係止解除部３０の、係止部２５によるフレキシブル印刷配線基板４０に対する係止を解除するための変位が、より確実に行われる。
【産業上の利用可能性】
【００７３】
以上のような本発明に係るコネクタ装置は、例えば、フレキシブル印刷配線基板等とされる配線板状部材の配線基板への取付けに用いられる、板状部材差込み部が設けられたハウジングと、ハウジングに配列配置されて設けられる複数のコンタクトと、ハウジングに設けられ、配線板状部材がハウジングに差し込まれたとき、配線板状部材に対する係止状態と係止解除状態とを選択的にとる係合部材とを備えたコネクタ装置であって、部品点数を比較的少とする簡単な構成を有していて製造コストの低減を図ることができ、さらに、簡単かつ容易な操作をもって、ハウジングに板状部材差込み部を通じて差し込まれた配線板状部材に対するハウジングからの不所望な抜脱を阻止するための係止及びその係止の解除を確実に行えるものとして、様々な電子機器等に広く適用され得るものである。
【符号の説明】
【００７４】
１０・・・コネクタ装置，  １１・・・ハウジング，  １１ａ・・・底板部，  １１ｂ・・・天板部，  １２・・・板状部材差込み部，  １３・・・第１のコンタクト，  １４・・・第２のコンタクト，  １６，１９・・・可動片持ちビーム部，  １６ａ，１９ａ・・・接点部，  ２０・・・係合部材，  ２１・・・基部，  ２２・・・第１の可動アーム部,   ２３・・・第２の可動アーム部,   ２４・・・半田付け部，  ２５・・・係止部，  ２５ａ・・・（係止部２５の）端縁部，  ２５ｂ・・・傾斜面，  ２６・・・狭幅部，  ２７，３５，３６・・・透孔，  ２８・・・折返し屈曲部，  ２９・・・操作部，  ３０・・・係止解除部，  ３７・・・凹部，  ４０・・・フレキシブル印刷配線基板，  ４０ａ・・・平板状部，  ４１・・・第１の接触端子部，  ４２・・・第２の接触端子部，  ４３・・・切抜き孔，  ４４・・・切欠き路，  ４５・・・係合端面部
【図１】
0005854272.tif 000002
【図２】
0005854272.tif 000003
【図３】
0005854272.tif 000004
【図４】
0005854272.tif 000005
【図５】
0005854272.tif 000006
【図６】
0005854272.tif 000007
【図７】
0005854272.tif 000008
【図８】
0005854272.tif 000009
【図９】
0005854272.tif 000010
【図１０】
0005854272.tif 000011
【図１１】
0005854272.tif 000012
【図１２】
0005854272.tif 000013
【図１３】
0005854272.tif 000014
【図１４】
0005854272.tif 000015
【図１５】
0005854272.tif 000016
【図１６】
0005854272.tif 000017
【図１７】
0005854272.tif 000018
【図１８】
0005854272.tif 000019
【図１９】
0005854272.tif 000020